(57)【特許請求の範囲】
【請求項１】
推進工法に用いられて坑内で位置が遷移する推進管個々に、それらに個別の情報を記録したＩＤシールを貼り付け、製造後から施工前までの適宜時点で、該推進管それぞれの該ＩＤシールの情報を管理室のコンピュータのデータベースソフトに蓄積して、推進管の管理用データベースを作成するようにした推進管情報管理システムであって、
推進管ＩＤを含む製造時データが記録され、少なくとも上記推進管の内周面に貼り付けられる上記ＩＤシールと、上記管理用データベースに上記推進管個々の施工時以降における情報を追加するために、該推進管内周面の上記ＩＤシールをカメラ機能で読み取って上記コンピュータに送信する携帯電話とを備え、
上記管理室の上記コンピュータは、
施工前は、上記携帯電話で読み取られ送信される上記ＩＤシールの製造時データを一次情報とする上記管理用データベースを作成し、さらに、該ＩＤシールの該携帯電話による読み取りで、上記推進管ＩＤに基づき、該携帯電話から送信される受入データを二次情報として該管理用データベースの上記推進管の履歴を更新することに加え、
施工時以降は、
施工時に、上記各推進管の上記ＩＤシールの上記携帯電話による読み取りと共に、該携帯電話から送信される、該各推進管の使用日時と使用する順序でこれら推進管に割り振られる管番号の施工時データを三次情報として、上記管理用データベースの上記推進管の履歴を更新し、さらに、上記データベースソフトにより該管番号をもとに該管理用データベースのデータの閲覧や抽出を行い、該携帯電話で読み取られ送信される該各推進管の該ＩＤシールにより、該管理用データベースの該推進管の履歴の確認が可能であり、かつ該推進管個別の履歴情報が追加可能である
ことを特徴とする推進管情報管理システム。
【発明の詳細な説明】
【技術分野】
【０００１】
本発明は、推進工法に適用されてそのまま管路となる推進管の履歴を施工時以降も管理可能として、当該推進管の高度な品質管理と供用後の維持管理性を向上することが可能な推進管情報管理システムに関する。
【背景技術】
【０００２】
従来、推進管を用いる推進工法に関連する技術として、特許文献１が知られている。特許文献１の「管路構築方法」は、発進立坑に掘進機を設置し、元押しジャッキの推力により推進施工を開始する。シールドジャッキを備えた掘進機後部のジャッキ筒に、推力伝達リング、１リング目のセグメントリングおよびアダプターリングを接続して推進施工を開始し、発進立坑内で、順次、推進管を継ぎ足しながら推進施工を行う。推進施工からシールド施工に移る際、推力伝達リングを取り外し、掘進機による掘進を行い、ジャッキ筒の後方でセグメントを組立て、セグメントリングに反力をとって掘進しながらシールド施工を行い、順次、セグメントを組立てて行くようにしている。
【先行技術文献】
【特許文献】
【０００３】
【特許文献１】特開２００８−０５７１２８号公報
【発明の概要】
【発明が解決しようとする課題】
【０００４】
建設工事における構造物建設費と供用期間中の維持管理費を含めたライフサイクルコストを縮減する技術が求められており、維持管理に直結する施工情報の管理システムの構築が社会的なニーズとなっている。
【０００５】
シールド工事においても、例えば、推進工法において、推進後そのまま管路となる推進管の供用後のアセットマネジメントを考慮に入れて、推進管の製造情報、出荷、受入、使用位置などの履歴に関する情報、受入検査、工程内検査に代表される品質管理情報を推進管１本ごとの固有情報としてデータベース化し、管理を一元化することが望ましい。
【０００６】
そして特に、施工時以降における情報を入手できるようにすれば、管路となる推進管の供用後における維持管理性を向上できることから、そのような構成を含む管理システムの構築が求められていた。
【０００７】
本発明は上記従来の課題に鑑みて創案されたものであって、推進工法に適用されてそのまま管路となる推進管の履歴を施工時以降も管理可能として、当該推進管の高度な品質管理と供用後の維持管理性を向上することが可能な推進管情報管理システムを提供することを目的とする。
【課題を解決するための手段】
【０００８】
本発明にかかる推進管情報管理システムは、推進工法に用いられて坑内で位置が遷移する推進管個々に、それらに個別の情報を記録したＩＤシールを貼り付け、製造後から施工前までの適宜時点で、該推進管それぞれの該ＩＤシールの情報を管理室のコンピュータのデータベースソフトに蓄積して、推進管の管理用データベースを作成するようにした推進管情報管理システムであって、推進管ＩＤを含む製造時データが記録され、少なくとも上記推進管の内周面に貼り付けられる上記ＩＤシールと、上記管理用データベースに上記推進管個々の施工時以降における情報を追加するために、該推進管内周面の上記ＩＤシールをカメラ機能で読み取って上記コンピュータに送信する携帯電話とを備え、上記管理室の上記コンピュータは；施工前は、上記携帯電話で読み取られ送信される上記ＩＤシールの製造時データを一次情報とする上記管理用データベースを作成し、さらに、該ＩＤシールの該携帯電話による読み取りで、上記推進管ＩＤに基づき、該携帯電話から送信される受入データを二次情報として該管理用データベースの上記推進管の履歴を更新することに加え；施工時以降は、施工時に、上記各推進管の上記ＩＤシールの上記携帯電話による読み取りと共に、該携帯電話から送信される、該各推進管の使用日時と使用する順序でこれら推進管に割り振られる管番号の施工時データを三次情報として、上記管理用データベースの上記推進管の履歴を更新し、さらに、上記データベースソフトにより該管番号をもとに該管理用データベースのデータの閲覧や抽出を行い、該携帯電話で読み取られ送信される該各推進管の該ＩＤシールにより、該管理用データベースの該推進管の履歴の確認が可能であり、かつ該推進管個別の履歴情報が追加可能であることを特徴とする。
【発明の効果】
【０００９】
本発明にかかる推進管情報管理システムにあっては、推進工法に適用されてそのまま管路となる推進管の履歴を施工時以降も管理することができ、当該推進管の高度な品質管理と供用後の維持管理性を向上することができる。
【図面の簡単な説明】
【００１０】
【図１】本発明にかかる推進管情報管理システムの好適な一実施形態を示す説明図である。
【図２】図１の推進管情報管理システムの対象となる推進管の位置遷移を説明する説明図である。
【図３】図１の推進管情報管理システムに適用されるＩＤシールを携帯電話のカメラ機能で読み取る様子を示す推進管の概略斜視図である。
【発明を実施するための形態】
【００１１】
以下に、本発明にかかる推進管情報管理システムの好適な一実施形態を、添付図面を参照して詳細に説明する。推進工法は従来周知であって、図１および図２に示すように、発進立坑１内に設置したジャッキ２の推力で、先頭に位置する掘進機３およびこれに後続する推進管４を推進するもので、推進管４は、ジャッキ２の伸縮動作に伴って、順次継ぎ足されるようになっている。
【００１２】
従って、推進工法に用いられる推進管４は図２（ａ）および（ｂ）に示すように、後続する他の推進管４の継ぎ足しにより、坑内５での位置が発進立坑１から次第に遠方へ遠ざかるように遷移する（図中、梨地で表示した推進管４の位置ｘ→ｙ参照）。
【００１３】
推進管４は、推進管製造工場６で製造され、現場ヤード７へ運搬され、施工時には、発進立坑１内へと搬入される。各推進管４には、トレーサビリティによる識別管理で１本ごとの識別を可能とするために、図３に示すように、それらに個別の情報を記録したＩＤシール８が貼り付けられる。
【００１４】
本実施形態では、推進管製造工場６でＩＤシール８を作成して、当該推進管製造工場６で推進管４に貼り付けるようにしていて、情報としては、推進管ＩＤ、製品の呼び名、成形年月日、製造メーカー等の製造時データ９がＩＤシール８に表示される。製造時データ９は、ＩＤシール８に、文字表記およびＱＲコードやバーコードなどの形態で記録される。ＩＤシール８に記録したこれら文字表記はそのまま読むことができると共に、ＱＲコード等のコード情報は、カメラ機能やコード読み取り機能を有する携帯電話１０により読み取りが可能となっている。
【００１５】
管理室のコンピュータ１１には、一般周知のデータベースソフトが搭載され、このデータベースソフトに、各推進管４に貼り付けたＩＤシール８の情報を蓄積することで、推進管４の管理用データベースが作成される。従って、推進管製造工場６にて、ＩＤシール８を携帯電話１０で撮影してその情報を読み取り、コンピュータ１１に送信することで、製造時データ９を一次情報とする管理用データベースが作成される。
【００１６】
製造後から施工前まで、すなわち現場ヤード７での受入までの適宜時点で、ＩＤシール８の読み取りが可能である。現場ヤード７では、各ＩＤシール８の携帯電話１０による読み取りと共に、各推進管４のヤード受入日や受入検査結果の情報が受入データ１２として、携帯電話１０からコンピュータ１１に送信される。データベースソフトは、推進管ＩＤに基づき、受入データ１２を二次情報として管理用データベースに追記し、各推進管４の履歴を更新する。
【００１７】
特に本実施形態にあっては、ＩＤシール８は、推進管４の製造後から施工前までに限らず、坑内５に設置する施工時以降であっても、いつでも当該ＩＤシール８の読み取りが可能なように、図３に示すように、推進管４の外周面４ａと内周面４ｂ、少なくとも一枚のＩＤシール８が推進管４の内周面４ｂに貼り付けられる。
【００１８】
施工時、すなわち推進管４を発進立坑１内に搬入して使用する際には、発進立坑１内で、各ＩＤシール８の携帯電話１０による読み取りと共に、各推進管４の使用日時と各推進管４に付与される管番号の情報が施工時データ１３として、携帯電話１０からコンピュータ１１に送信される。管番号は、使用する順序で各推進管４に割り振られる番号である。データベースソフトは、推進管ＩＤに基づき、施工時データ１３を三次情報として管理用データベースに追記し、各推進管４の履歴を更新する。
【００１９】
さらに、その後の推進施工時では、ジャッキ２による推進時に発生する推進施工時情報１４、例えば、水平・鉛直蛇行量や推力などがコンピュータ１１に送信される。当該推進施工時情報１４も、携帯電話１０で推進管内周面４ｂのＩＤシール８を読み取って、コンピュータ１１に送信するようにしても良い。
【００２０】
以後、データベースソフトは、各推進管４に関し、推進管ＩＤ（製造時データ９）、ヤード受入日（受入データ１２）、管番号（施工時データ１３）を関連付けし、さらに管番号をキーとして、データ整理を行うことができるようになっている。
【００２１】
具体的には、データベースソフトは、推進管ＩＤを照合し、管番号ごとに、製造時データ９、施工時データ１３、受入データ１２、必要な場合には推進施工時情報１４のすべての情報を自動的に整理し、推進管４の管理用データベースを作成する。この管理用データベースを使用することで、管番号をもとにデータの閲覧や抽出が行われる。特に、不具合発生時の原因究明にあたっては、当該発生位置から推進管４を特定することで、再発防止対策を講じることが可能となる。
【００２２】
以上説明した本実施形態にかかる推進管情報管理システムにあっては、推進工法に用いられて坑内５で位置が遷移する推進管４個々に、それらに個別の情報を記録したＩＤシール８を貼り付け、製造後から施工前までの適宜時点で、推進管４それぞれのＩＤシール８の情報を管理室のコンピュータ１１のデータベースソフトに蓄積して、推進管４の管理用データベースを作成するようにした推進管情報管理システムであって、少なくとも推進管４の内周面４ｂに貼り付けられるＩＤシール８と、管理用データベースに推進管４個々の施工時以降における情報を追加するために、推進管内周面４ｂのＩＤシール８をカメラ機能で読み取ってコンピュータ１１に送信する携帯電話１０とを備えたので、そのまま管路となる推進管４の履歴を施工前までだけでなく、施工時以降も管理用データベースで管理することができ、推進管４の高度な品質管理と供用後の維持管理性を向上することができる。
【００２３】
すなわち、推進工法によって坑内５での位置が遷移する推進管４を施工後に確認したい場合、当該推進管４の内周面４ｂにＩＤシール８を貼り付けているので、容易にそのＩＤシール８を携帯電話１０で読み取ることができる。そして、読み取ったＩＤシール８の情報をコンピュータ１１に送信することで、管理用データベースの推進管４の履歴を確認することができる。これにより、例えば、坑内５に設置した後の推進管４に「欠け」などの不具合があった場合に、それを補修するなどした情報も、各推進管４個別の履歴情報として追加できると共に、そのような推進管４の製造時データ９を参照することで、再発防止も可能となる。
【００２４】
また、携帯電話１０で情報を送信するので、ぺーバーレスで効率的に作業をすることができる。
【符号の説明】
【００２５】
４  推進管
４ｂ  推進管内周面
５  坑内
８  ＩＤシール
１０  携帯電話
１１  コンピュータ
【図１】
0005479261.tif 000002
【図２】
0005479261.tif 000003
【図３】
0005479261.tif 000004